(57)【特許請求の範囲】
【請求項１】
物品に付された情報コードを読み取る光学的情報読取装置であって、
前記情報コードからの反射光を受光する受光手段と、
前記受光手段にて受光される前記反射光に基づいて前記情報コードの読取処理を行う読取手段と、
マーカ光を照射するマーカ光照射手段と、
前記マーカ光照射手段にて照射された前記マーカ光を集光し、前記物品表面において読取位置の目印となるパターンを表示させるレンズ手段と、
前記マーカ光照射手段、前記レンズ手段、及び前記マーカ光照射手段と前記レンズ手段との間に介在する光学部品、の少なくともいずれかを変位させ、前記レンズ手段に入射する前記マーカ光の入射状態を変更する変更装置と、
前記情報コードの読取モードを、一次元コードを読み取る第１モードと、二次元コードを読み取る第２モードとで切り替えるモード切替手段と、
前記モード切替手段により前記読取モードが前記第１モードに切り替えられたときに、前記パターンが前記第１モードに対応した第１パターンとなるように前記変更装置を制御し、前記読取モードが前記第２モードに切り替えられたときに前記パターンが前記第２モードに対応した第２パターンとなるように前記変更装置を制御する制御手段と、
を備え、
前記変更装置により前記マーカ光の前記入射状態が変更されることで、前記レンズ手段を介して前記物品表面に表される前記パターンが切り替わることを特徴とする光学的情報読取装置。
【請求項２】
前記変更装置は、前記マーカ光照射手段と、前記レンズ手段との距離を変化させることで、前記レンズ手段に入射する前記マーカ光の入射状態を変更することを特徴とする請求項１に記載の光学的情報読取装置。
【請求項３】
前記制御手段は、
前記第１モードにおいて、前記一次元コードを配置すべき向き及び位置に対応する一又は複数のラインによって前記第１パターンを構成するように前記変更装置を制御し、
前記第２モードにおいて、前記二次元コードを配置すべき領域に対応する少なくとも２つのラインによって前記第２パターンを構成するように前記変更装置を制御することを特徴とする請求項１又は請求項２に記載の光学的情報読取装置。
【請求項４】
前記レンズ手段は、線状のラインを形成するレンズを少なくとも２つ備えると共に、前記パターンとして、少なくとも平行な２つのラインを表示する構成をなしており、
前記変更装置は、２つの前記レンズに対する前記マーカ光の入射状態を変更することで、前記２つのラインのライン間隔を変更することを特徴とする請求項３に記載の光学的情報読取装置。
【請求項５】
前記レンズ手段は、線状のラインを形成するレンズを複数備え、
前記変更装置は、
前記第１モードにおいていずれかの前記レンズに選択的に前記マーカ光を入射させて前記物品表面に単一のラインを表示するように前記マーカ光の前記入射状態を設定し、
前記第２モードにおいて、複数の前記レンズに前記マーカ光を入射させて前記物品表面に複数のラインを表示するように前記マーカ光の入射状態を設定することを特徴とする請求項３に記載の光学的情報読取装置。
【請求項６】
前記制御手段は、
前記第１モードにおいて、前記一次元コードを配置すべき向き及び位置に対応する複数の局所的マークによって前記第１パターンを構成するように前記変更装置を制御し、
前記第２モードにおいて、前記第１モードにて構成される前記複数の局所的マークの表示領域を、前記二次元コードを配置すべき領域に対応するサイズに拡大して前記第２パターンを構成するように前記変更装置を制御することを特徴とする請求項１又は請求項２に記載の光学的情報読取装置。
【請求項７】
前記受光センサはエリアセンサからなり、
前記読取手段は、前記第１モードにおいて、前記エリアセンサの一部領域の受光結果に基づいて前記情報コードの読み取りを行うことを特徴とする請求項１から請求項６のいずれか一項に記載の光学的情報読取装置。
【請求項８】
前記変更装置は、前記マーカ光照射手段又は前記レンズ手段若しくは前記光学部品を、電磁力に基づいて駆動する電磁アクチュエータを有してなり、
前記制御手段は、前記電磁アクチュエータの駆動を制御する駆動制御手段を有してなることを特徴とする請求項１から請求項７のいずれか一項に記載の光学的情報読取装置。
【発明の詳細な説明】
【技術分野】
【０００１】
本発明は、光学的情報読取装置に関するものである。
【背景技術】
【０００２】
従来より、バーコードリーダ等の光学的情報読取装置として、読取対象に対してマーカ光を照射するマーカ光照射手段を備えた構成が提供されている。この種の光学的情報読取装置では、マーカ光照射手段によるマーカ光の表示位置が、当該光学的情報読取装置と読取対象に付された情報コードとを位置合わせするため目印となるように構成されている。
【特許文献１】特開２００７−３４３８８公報
【発明の開示】
【発明が解決しようとする課題】
【０００３】
特許文献１では、マーカ光照射手段を用いて表示を行う例として、情報コードの種類に応じてマーカ光の表示パターンを変更する構成が開示されている。このような構成によれば、情報コードの種類に応じた適切なパターンを表示できるようになるが、その一方で、マーカ光を照射する光源やレンズが数多く必要となるため、部品点数の増加、装置構成の大型化、コストの増大という問題が懸念される。
【０００４】
本発明は、上述した課題を解決するためになされたものであり、マーカ光による表示パターンを切り替えうる構成を、光源数を抑えて簡易に実現することを目的とする。
【課題を解決するための手段】
【０００５】
上記目的を達成するため、請求項１の発明は、物品に付された情報コードを読み取る光学的情報読取装置であって、前記情報コードからの反射光を受光する受光手段と、前記受光手段にて受光される前記反射光に基づいて前記情報コードの読取処理を行う読取手段と、
マーカ光を照射するマーカ光照射手段と、前記マーカ光照射手段にて照射された前記マーカ光を集光し、前記物品表面において読取位置の目印となるパターンを表示させるレンズ手段と、前記マーカ光照射手段、前記レンズ手段、及び前記マーカ光照射手段と前記レンズ手段との間に介在する光学部品、の少なくともいずれかを変位させ、前記レンズ手段に入射する前記マーカ光の入射状態を変更する変更装置と、前記情報コードの読取モードを、一次元コードを読み取る第１モードと、二次元コードを読み取る第２モードとで切り替えるモード切替手段と、前記モード切替手段により前記読取モードが前記第１モードに切り替えられたときに、前記パターンが前記第１モードに対応した第１パターンとなるように前記変更装置を制御し、前記読取モードが前記第２モードに切り替えられたときに前記パターンが前記第２モードに対応した第２パターンとなるように前記変更装置を制御する制御手段と、を備え、前記変更装置により前記マーカ光の前記入射状態が変更されることで、前記レンズ手段を介して前記物品表面に表される前記パターンが切り替わることを特徴とする。
【０００６】
請求項２の発明は、請求項１に記載の光学的情報読取装置において、前記変更装置は、前記マーカ光照射手段と、前記レンズ手段との距離を変化させることで、前記レンズ手段に入射する前記マーカ光の入射状態を変更することを特徴とする。
【０００８】
請求項３の発明は、前記制御手段は、前記第１モードにおいて、前記一次元コードを配置すべき向き及び位置に対応する一又は複数のラインによって前記第１パターンを構成するように前記変更装置を制御し、前記第２モードにおいて、前記二次元コードを配置すべき領域に対応する少なくとも２つのラインによって前記第２パターンを構成するように前記変更装置を制御することを特徴とする。
【０００９】
請求項４の発明は、前記レンズ手段は、線状のラインを形成するレンズを少なくとも２つ備えると共に、前記パターンとして、少なくとも平行な２つのラインを表示する構成をなしており、前記変更装置は、２つの前記レンズに対する前記マーカ光の入射状態を変更することで、前記２つのラインのライン間隔を変更することを特徴とする。
【００１０】
請求項５の発明は、前記レンズ手段は、線状のラインを形成するレンズを複数備え、前記変更装置は、前記第１モードにおいていすれかの前記レンズに選択的に前記マーカ光を入射させて前記物品表面に単一のラインを表示するように前記マーカ光の前記入射状態を設定し、前記第２モードにおいて、複数の前記レンズに前記マーカ光を入射させて前記物品表面に複数のラインを表示するように前記マーカ光の入射状態を設定することを特徴とする。
【００１１】
請求項６の発明は、前記制御手段は、前記第１モードにおいて、前記一次元コードを配置すべき向き及び位置に対応する複数の局所的マークによって前記第１パターンを構成するように前記変更装置を制御し、前記第２モードにおいて、前記第１モードにて構成される前記複数の局所的マークの表示領域を、前記二次元コードを配置すべき領域に対応するサイズに拡大して前記第２パターンを構成するように前記変更装置を制御することを特徴とする。
【００１２】
請求項７の発明は、前記受光センサはエリアセンサからなり、前記読取手段は、前記第１モードにおいて、前記エリアセンサの一部領域の受光結果に基づいて前記情報コードの読み取りを行うことを特徴とする。
【００１３】
請求項８の発明は、前記変更装置は、前記マーカ光照射手段又は前記レンズ手段若しくは前記光学部品を、電磁力に基づいて駆動する電磁アクチュエータを有してなり、前記制御手段は、前記電磁アクチュエータの駆動を制御する駆動制御手段を有してなることを特徴とする。
【発明の効果】
【００１４】
請求項１の発明では、マーカ光照射手段、レンズ手段、光学部品、の少なくともいずれかを変位させ、レンズ手段に入射するマーカ光の入射状態を変更することで、物品表面に表されるパターンを切り替えている。このようにすれば、マーカ光による表示パターンを切り替えうる構成を、光源数を抑えて簡易に実現できる。また、一次元コードを読み取る第１モードにおいて第１モードに対応した第１パターンを発生させることができ、二次元コードを読み取る第２モードにおいて第２モードに対応した第２パターンを発生させることができる。即ち、モードに応じた適切なパターンを発生させることができるようになる。また、このようにモード変更に応じてパターンを変化させうる構成を光源数を抑えて簡易に実現できる。
【００１５】
請求項２の発明では、マーカ光照射手段と、レンズ手段との距離を変化させることで、レンズ手段に入射するマーカ光の入射状態を変更している。このようにすれば、マーカ光照射手段及びレンズ手段のいずれか、又は両方の位置移動のみによってレンズ手段に入射するマーカ光の入射状態を変更できる。即ち、マーカ光の入射状態を変更し得る構成を、複雑な構成や大掛かりな構成を用いずに良好に実現できることとなる。
【００１７】
請求項３の発明によれば、第１モードにおいて、ユーザが一次元コードを配置すべき向き及び位置を容易に把握でき、第２モードにおいては、ユーザが二次元コードを配置すべき領域を容易に把握できるようになるため、極めて利便性に優れた構成となる。
【００１８】
請求項４の発明では、２つのレンズに対するマーカ光の入射状態を変更することで、物品表面に表示される２つのラインのライン間隔を変更している。このようにすれば、第１モードにおいて、一次元コードを配置すべき向き及び位置を第１のライン間隔で表示される２つのラインによって良好に示すことができ、第２モードにおいては、二次元コードを配置すべき領域を第２のライン間隔で表示される２つのラインによって良好に示すことができる。
【００１９】
請求項５の発明によれば、第１モードにおいて一次元コードを配置すべき向き及び位置を単一のラインによって良好に示すことができ、第２モードにおいては二次元コードを配置すべき領域を複数のラインによって良好に示すことができる。
【００２０】
請求項６の発明によれば、第１モードにおいて一次元コードを配置すべき向き及び位置を複数の局所的マークからなる第１パターンによって良好に示すことができ、第２モードにおいては二次元コードを配置すべき領域を複数の局所的マークの表示領域を第１パターンよりも拡大した第２パターンによって良好に示すことができる。
【００２１】
請求項７の発明では、第１モードにおいてエリアセンサの一部領域の受光結果に基づいて情報コードの読み取りを行っている。このようにすれば、一部領域以外の受光結果の処理を省略できるため、読取速度を効果的に向上できる。
【００２２】
請求項８の発明によれば、マーカ光照射手段又はレンズ手段若しくは光学部品を駆動させ、かつその駆動を制御しうる構成を好適に実現できる。
【発明を実施するための最良の形態】
【００２３】
[第１実施形態]
以下、本発明の光学的情報読取装置を具現化した第１実施形態について、図面を参照して説明する。図１は、本発明の第１実施形態に係る光学的情報読取装置の電気的構成を概略的に例示するブロック図である。図２は、第１実施形態の光学的情報読取装置のマーカ光照射部を概略的に説明する説明図である。図３（ａ）は、レンズ手段の側面図であり、図３（ｂ）は、３（ａ）のＡ−Ａ位置にて切断した構成を用いてレンズを概略的に説明する説明図である。図４（ａ）は、第１モードのときの駆動部等の状態を説明する説明図であり、図４（ｂ）は、第２モードのときの駆動部等の状態を説明する説明図である。図５（ａ）は、第１モードのときに物品表面に表示されるパターンを例示する説明図であり、図５（ｂ）は、第２モードのときに物品表面に表示されるパターンを例示する説明図である。図６はモード切替処理を例示するフローチャートである。図７は、受光センサにおける受光素子の配置を概略的に説明する説明図である。
【００２４】
図１に示す光学的情報読取装置１０は、物品に付された情報コードを読み取る装置であり、一次元コード（バーコード等）及び二次元コード（ＱＲコード（商標名）等）のいずれをも読み取り可能な構成をなしている。この光学的情報読取装置１０は、図示しないケースの内部に回路部２０が収容されてなるものであり、回路部２０は、主に、照明光源２１、受光センサ２８、結像レンズ２７等の光学系と、メモリ３５、制御回路４０、トリガースイッチ４２等のマイクロコンピュータ（以下「マイコン」という）系と、から構成されている。
【００２５】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図１では、情報コードＣが付された読取対象物Ｒに向けて照明光Ｌｆを照射する例を概念的に示している。
【００２６】
受光光学系は、受光センサ２８、結像レンズ２７、反射鏡（図示略）などによって構成されている。受光センサ２８は、読取対象物Ｒやバ情報コードＣに照射されて反射した反射光Ｌｒを受光可能に構成されるものである。この受光センサ２８は、結像レンズ２７を介して入射する入射光を受光可能にプリント配線板（図示略）に実装されている。なお、受光センサ２８は、情報コードＣからの反射光を受光する「受光手段」の一例に相当している。
【００２７】
結像レンズ２７は、外部から読取口（図示略）を介して入射する入射光を集光して受光センサ２８の受光面２８ａに像を結像可能な結像光学系として機能するものである。本実施形態では、照明光源２１から照射された照明光Ｌｆが、情報コードＣにて反射した後、この反射光Ｌｒを結像レンズ２７で集光し、受光センサ２８の受光面２８ａにコード像を結像させている。
【００２８】
マイコン系は、増幅回路３１、Ａ／Ｄ変換回路３３、メモリ３５、アドレス発生回路３６、同期信号発生回路３８、制御回路４０、トリガースイッチ４２、ブザー４４、表示ＬＥＤ（以下、単にＬＥＤとも称する）４５、液晶表示器４６、通信インタフェース４８等から構成されている。
【００２９】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード像画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３０】
制御回路４０は、バーコードリーダ１０全体を制御可能なマイコンで、ＣＰＵ、システムバス、入出力インタフェース等からなるもので、メモリ３５とともに情報処理装置を構成し得るもので情報処理機能を有する。本実施形態では、制御回路４０が、メモリ３５に格納される画像データ（即ち、受光センサ２８にて受光される反射光に基づいて得られた情報コードの画像データ）を公知のデコード処理によってデコードする構成をなしており、制御回路４０が、「読取手段」の一例に相当する。また、制御回路４０は、内蔵された入出力インタフェースを介して種々の入出力装置と接続可能に構成されており、本実施形態の場合、トリガースイッチ４２、ブザー４４、ＬＥＤ４５、液晶表示器４６、通信インタフェース４８等を接続されている。これにより、例えば、トリガースイッチ４２の監視や管理、ビープ音やアラーム音を発生可能なブザー４４の鳴動のオンオフ、ＬＥＤ４５の点灯、非点灯、液晶表示器４６の表示制御、通信インターフェース４８の制御等を可能にしている。
【００３１】
次に、マーカ光照射部５０について説明する。
本実施形態では、図２に示すように、マーカ光照射部５０は、レーザダイオード５１と、レンズ手段５２と、駆動部５３とを備えた構成をなしており、以下においてこれらの具体的構成について説明する。
【００３２】
レーザダイオード５１は、「マーカ光照射手段」の一例に相当するものであり、図２に示すように物品表面に向けてマーカ光Ｍ１を照射する構成をなしている。このレーザダイオード５１は、図１に示す制御回路４０からの信号に応じて駆動し、レーザ光からなるマーカ光Ｍ１を出射する。なお、制御回路４０からの指令を受けてレーザダイオード５１を駆動する駆動回路（公知のレーザダイオード駆動回路）については図示を省略している。
【００３３】
レンズ手段５２は、レーザダイオード５１にて照射されたマーカ光Ｍ１を集光し、物品表面において読取位置の目印となるパターンを表示させるように機能する。具体的には、図２、図３に示すように、線状のラインを形成する２つのレンズ５２ａ，５２ｂによって構成されており、これらレンズ５２ａ，５２ｂにより、図２、図４のように、レーザダイオード５１からのマーカ光Ｍ１を２つのマーカ光Ｍ２，Ｍ３に分け、図５のように、物品表面に、平行な２つのラインＬ１，Ｌ２からなるパターンを表示するようになっている。
【００３４】
レンズ手段５２を構成する２つのレンズ５２ａ，５２ｂは、共に同形状となっており、図３（ａ）のように、レンズ５２ａは、出射側の面Ｆ１がレンズ厚さ方向（図３（ａ）の矢印Ｈ１の方向）に対して凸状に湾曲する凸レンズとして構成され、かつ図３（ａ）（ｂ）のように外形が全体として蒲鉾状に構成されている。また、図３（ｂ）のように、レンズ５２ａの入射側の面Ｆ２は、レンズ幅方向（図３（ｂ）の矢印Ｈ２の方向）に対して凹状に湾曲する湾曲面として構成されている。これらレンズ５２ａ，５２ｂは、レーザダイオード５１から出射されたマーカ光Ｍ１（レーザ光）をレンズ厚さ方向に収束させ、かつ、レンズ幅方向に拡散させる構成をなしている。なお、各レンズ５２ａ，５２ｂからのレーザ光は、図４（ａ）或いは（ｂ）のように、レンズ厚さ方向に収束しかつレンズ幅方向に拡散して略面状のマーカ光Ｍ２，Ｍ３として物品表面に向かい、図５（ａ），（ｂ）のように各マーカ光Ｍ２，Ｍ３によってラインＬ１，Ｌ２からなる照射パターンが構成されるようになっている。なお、本実施形態では、マーカ光Ｍ２，Ｍ３によって物品表面に表示されるラインＬ１、Ｌ２が読取エリアＡ（受光センサ２８によって画像が取得されるエリア）の横方向の長さと同程度、読取エリアＡの横方向の長さよりもわずかに短くなる程度で幅方向に拡散されるように各レンズ５２ａ、５２ｂが構成されている。
【００３５】
駆動部５３は、「変更装置」の一例に相当するものであり、レーザダイオード５１を変位させ、レーザダイオード５１とレンズ手段５２との距離を変化させることで、レンズ手段５２に入射するマーカ光Ｍ１の入射状態を変更する機能を有している。本実施形態の光学的情報読取装置１０では、駆動部５３によりマーカ光Ｍ１の入射状態が変更されることで、レンズ手段５２を介して物品表面に表されるパターンが図５（ａ）（ｂ）のように切り替わるようになっている。
【００３６】
図２に示すように、駆動部５３は、一対の電磁石５６ａ，５６ｂと、鉄等からなる金属部材５５と、この金属部材５５をスライド可能に保持するスライド機構（図示略）と、各電磁石５６ａ，５６ｂを通電する通電回路５８ａ，５８ｂとを備えている。電磁石５６ａ，５６ｂは、「電磁アクチュエータ」の一部を構成するものであり、電磁力に基づいてレーザダイオード５１を駆動する（具体的には直線的に移動させる）機能を有する。
【００３７】
レーザダイオード５１は基板５４に保持され、この基板５４に金属部材５５が固定されることでレーザダイオード５１と金属部材５５とが一体化している。そして、制御回路４０から通電回路５８ａ，５８ｂのいずれかに通電信号が出力されることに応じて電磁石５６ａ，５６ｂのいずれかが通電されると、金属部材５５が電磁石５６ａ，５６ｂの一方側（即ち通電される側）に引き寄せられ、レーザダイオード５１が変位するようになっている。
【００３８】
レーザダイオード５１は、図２、図４（ａ）のように金属部材５５が電磁石５６ｂ側に引き寄せられた場合の位置（即ち、レンズ手段５２から遠ざけられた第１位置）と、図４（ｂ）のように金属部材５５が電磁石５６ａ側に引き寄せられた場合の位置（即ち、レンズ手段５２に近づけられた第２位置）との２位置で切り替わるようになっている。なお、レーザダイオード５１、基板５４、及び金属部材５５からなる一体的なユニットは、図示しないスライド機構（例えば直線状のガイドレールなどを用いたスライド機構等）によってスライド可能に保持されており、電磁石５６ａ，５６ｂの通電を切り替える通電切替制御によって往復動するようになっている。
なお、本実施形態では、金属部材５５、電磁石５６ａ，５６ｂによって「電磁アクチュエータ」が構成され、制御回路４０によって「駆動制御手段」、「制御手段」が構成されている。
【００３９】
図４（ａ）のように、レーザダイオード５１がレンズ手段５２から遠ざけられた状態と、、図４（ｂ）のように近づけられた状態とでは、各レンズ５２ａ，５２ｂにおいてマーカ光Ｍ１（レーザ光）の入射する位置及び領域が異なっており、これにより、マーカ光Ｍ２，Ｍ３の出射方向が変化するようになっている。より具体的には、図４（ａ）のようにレーザダイオード５１がレンズ手段５２から遠ざけられた状態では、それぞれ平面状の構成をなすマーカ光Ｍ２とマーカ光Ｍ３とのなす角度が小さく、図４（ｂ）のようにレーザダイオード５１がレンズ手段５２に近づいた状態ではマーカ光Ｍ２とマーカ光Ｍ３とのなす角度が図４（ａ）の状態と比較して大きくなるように構成されている。従って、レンズ手段５２から物品表面までの距離が同じ場合には、図４（ａ）のようにレーザダイオード５１がレンズ手段５２から遠ざかった状態の場合には物品表面に表示されるラインＬ１、Ｌ２の間隔が狭く（図５（ａ）参照）、図４（ｂ）のようにレーザダイオード５１がレンズ手段５２に近づいた状態の場合には物品表面に表示されるラインＬ１、Ｌ２の間隔が大きくなる（図５（ｂ）参照）。このように、駆動部５３は、２つのレンズ５２ａ，５２ｂに対するマーカ光Ｍ１の入射状態を変更し、マーカ光Ｍ２，Ｍ３の出射方向を変化させて、２つのラインＬ１，Ｌ２のライン間隔を変更する機能を有する。
【００４０】
次に、光学的情報読取装置１０でのモード切替処理について説明する。
このモード切替処理は例えばユーザによる所定操作に応じて実施されるものであり、当該処理が開始されると、まず状態検出処理が行われる（Ｓ１）。この状態検出処理は、第１モード及び第２モードのどちらのモードにすべきかを判断する上での指標となる状態を検出する処理である。例えば、読取モードがユーザの操作に応じて切り替えられる場合には、指標となるべき操作部の状態を検出し、ユーザによって第１モード及び第２モードのいずれが指示されているのかを検出する。なお、本実施形態では、図５（ａ）のような一次元コード（図５（ａ）ではバーコードＢを例示）を読み取るモードが第１モードに相当し、図５（ｂ）のような二次元コード（図５（ｂ）ではＱＲコード（商標名）Ｑ）を読み取るモードが第２モードに相当する。
【００４１】
次いで、いずれのモードに設定するかを判断する処理を行う（Ｓ２）。ユーザによって第１モードが指示された場合には、Ｓ２にてＹｅｓに進み、当該光学的情報読取装置１０を第１モードに設定する（Ｓ３）。具体的には、当該光学的情報読取装置１０を第１モードにする旨の情報をメモリ３５に記憶する。その後、レーザダイオード１０を図４（ａ）に示す第１位置に移動させる処理を行う（Ｓ４）。即ち、電磁石５６ｂを通電するように制御回路４０から通電回路５８ｂに対して通電信号が出力される。
【００４２】
また、ユーザによって第２モードが指示された場合には、Ｓ２にてＮｏに進み、当該光学的情報読取装置１０を第２モードに設定する（Ｓ５）。具体的には、光学的情報読取装置１０を第２モードにする旨の情報をメモリ３５に記憶する。その後、レーザダイオード１０を図４（ｂ）に示す第２位置に移動させる処理を行う（Ｓ６）。即ち、電磁石５６ａを通電するように制御回路４０から通電回路５８ａに対して通電信号が出力される。
【００４３】
このように、本実施形態では、情報コードの読取モードを、一次元コードを読み取る第１モードと、二次元コードを読み取る第２モードとで切り替えるようになっている。制御回路４０及び図６に示すプログラムが「モード切替手段」の一例に相当している。
【００４４】
さらに、読取モードが第１モードに切り替えられたときには、図５（ａ）のように物品表面に表示されるパターンが第１モードに対応した第１パターンとなるように駆動部５３を制御し、読取モードが第２モードに切り替えられたときには、図５（ｂ）のように物品表面に表示されるパターンが第２モードに対応した第２パターンとなるように駆動部５３を制御している。具体的には、第１モードにおいて、一次元コードを配置すべき向き及び位置に対応する複数のラインによって第１パターンを構成するように駆動部５３を制御し、第２モードにおいて、二次元コードを配置すべき領域に対応する２つのラインによって第２パターンを構成するように駆動部５３を制御している。
【００４５】
本実施形態の受光センサ２８は、図７のように、複数の受光素子が配列されてなるエリアセンサによって構成されている。この受光センサ２８は、例えば縦方向に９６０個の受光素子が並び、横方向に１２８０個の受光素子が並ぶ構成をなしている。制御回路４０は、第１モードにおいて、受光センサ２８（エリアセンサ）の一部領域の受光結果に基づいて情報コードの読み取りを行う構成となっている。より詳しくは、第１モードにおいては物品表面における読取可能エリア（即ち、受光センサ２８によって読み取ることのできるエリア）の一定位置にラインＬ１、Ｌ２が表示されるようになっているため、第１モードにおいて図５（ａ）のようにラインＬ１、Ｌ２を跨ぐようにバーコードＢが配置されれば、ラインＬ１、Ｌ２に対応する１又は複数の受光素子列の受光結果に基づいてバーコードＢをデコードできるようになる。
【００４６】
例えば、図７では受光センサ２８におけるラインＬ１、Ｌ２部分の画像を受光する位置を符号Ｌ１'、Ｌ２'にて示しているが、図５（ａ）のようにラインＬ１、Ｌ２を跨ぐようにバーコードＢが配置された場合、符号 Ｌ１'、Ｌ２'で示すライン間の受光素子列によってバーコードＢをデコードするための十分な画像が得られることとなる。従って、受光センサ２８の一部領域（符号Ｌ１'Ｌ２'で示すライン間の受光素子列）のみの受光結果に基づいてバーコードＢのデコードを良好に行うことができる。
【００４７】
また、第２モードにおいては、図５（ｂ）のようにラインＬ１、Ｌ２間に収まるようにＱＲコードＱが配置されれば、受光センサ２８全体の受光結果（受光センサ２８によって得られる画像全体）に基づいてＱＲコードＱをデコードできる。本実施形態では、図７のように、第２モードにおけるラインＬ１、Ｌ２部分の画像が受光される位置が受光センサ２８の上端部及び下端部（即ち、図７の符号Ｌ３'、Ｌ４'の位置）となっているため、ラインＬ１、Ｌ２間に収まるようにＱＲコードＱが配置されていれば、受光センサ２８の受光結果に基づいてＱＲコードＱ全体の画像が生成でき、この画像に基づいてＱＲコードＱのデコードを良好に行うことができる。
【００４８】
以上のように本実施形態の構成によれば、レーザダイオード５１を変位させ、レンズ手段５２に入射するマーカ光の入射状態を変更することで、物品表面に表されるパターンを切り替えている。このようにすれば、表示パターンを切り替えうる構成を、光源数を抑えて簡易に実現できる。また、レーザダイオード５１の位置移動のみによってレンズ手段５２に入射するマーカ光の入射状態を変更できる。即ち、マーカ光Ｍ１の入射状態を変更し得る構成を、複雑な構成や大掛かりな構成を用いずに良好に実現できることとなる。
【００４９】
また、一次元コードを読み取る第１モードにおいて第１モードに対応した第１パターンを発生させることができ、二次元コードを読み取る第２モードにおいて第２モードに対応した第２パターンを発生させることができる。即ち、モードに応じた適切なパターンを発生させることができるようになる。また、このようにモード変更に応じてパターンを変化させうる構成を光源数を抑えて簡易に実現できる。
【００５０】
また、第１モードにおいて、一次元コードを配置すべき向き及び位置に対応する２つのライン（具体的には、受光センサ２８における一次元コードの読取位置及び読取方向に対応するライン）によって第１パターンを構成するように駆動部５３を制御し、第２モードにおいて、二次元コードを配置すべき領域に対応する２つのライン（具体的には受光センサ２８による画像取得領域に対応するライン）によって第２パターンを構成するように駆動部５３を制御している。このようにすれば、第１モードにおいて、ユーザが一次元コードを配置すべき向き及び位置を容易に把握でき、第２モードにおいては、ユーザが二次元コードを配置すべき領域を容易に把握できるようになるため、極めて利便性に優れた構成となる。
【００５１】
また、２つのレンズに対するマーカ光Ｍ１の入射状態を変更することで、物品表面に表示される２つのラインＬ１，Ｌ２のライン間隔を変更している。このようにすれば、第１モードにおいて、一次元コードを配置すべき向き及び位置を第１のライン間隔で表示される２つのラインによって良好に示すことができ、第２モードにおいては、二次元コードを配置すべき領域を第２のライン間隔で表示される２つのラインによって良好に示すことができる。
【００５２】
また、第１モードにおいて受光センサ２８（エリアセンサ）の一部領域の受光結果に基づいて情報コードＣの読み取りを行っている。このようにすれば、一部領域以外の受光結果の処理を省略できるため、読取速度を効果的に向上できる。
【００５３】
［第２実施形態]
次に第２実施形態について説明する。
図８（ａ）は、第２実施形態の光学的情報読取装置に用いるマーカ光照射部を概略的に説明する説明図であり、図８（ｂ）は、図８（ａ）の状態からレーザダイオードが移動した状態を示す説明図である。図９（ａ）は、第２実施形態の光学的情報読取装置において、第１モードのときに物品表面に表示されるパターンを例示する説明図であり、図９（ｂ）は、第２モードのときに物品表面に表示されるパターンを例示する説明図である。図１０は、受光センサによる受光位置等を説明する説明図である。
【００５４】
なお、本実施形態のマーカ光照射部１５０は、レンズ手段１５２の構成のみが第１実施形態のレンズ手段５２と異なっており、それ以外の構成は第１実施形態と同様である。また、本実施形態の光学的情報読取装置の電気的構成は図１に示す第１実施形態と同様であり、レーザダイオード５１を駆動する駆動部の構成も第１実施形態の駆動部５３（図２）と同様である。よって同様の部分については第１実施形態と同一の符号を付し、詳細な説明は省略する。
【００５５】
本実施形態のレンズ手段１５２は、線状のラインを形成する３つのレンズ１５２ａ、１５２ｂ、１５２ｃを備えている。各レンズ１５２ａ、１５２ｂ、１５２ｃの形状は、図３（ａ）（ｂ）に示すレンズ５２ａと同様であり、レーザダイオード５１にて照射されたマーカ光Ｍ１を集光し、物品表面において読取位置の目印となるパターンを表示させるように機能する。これらレンズ１５２ａ，１５２ｂ、１５２ｃは、レーザダイオード５１から出射されたマーカ光Ｍ１（レーザ光）をレンズ厚さ方向に収束させ、かつ、レンズ幅方向に拡散させる構成をなしている。なお、各レンズ１５２ａ，１５２ｂ、１５２ｃは、幅方向を揃える形態で配置されており、図８では、各レンズ１５２ａ，１５２ｂ、１５２ｃの紙面直交方向が幅方向とされている。
【００５６】
本実施形態の駆動部５３（変更装置）は、一次元コードを読み取る第１モードにおいて図８（ａ）のようにレーザダイオード５１をレンズ手段１５２に接近させ、中央のレンズ１５２ｂに選択的にマーカ光Ｍ１を入射させるようにマーカ光Ｍ１の入射状態を設定している。これにより、第１モードでは、図９（ａ）のように物品表面に単一のラインが表示される。また、駆動部５３は、二次元コードを読み取る第２モードにおいて図８（ｂ）のようにレーザダイオード５１をレンズ手段１５２から遠ざけ、３つのレンズ１５２ａ，１５２ｂ，１５２ｃ全てにマーカ光Ｍ１を入射させるようにマーカ光Ｍ１の入射状態を設定している。これにより、第２モードでは、図９（ｂ）のように物品表面に３つのラインが表示される。
【００５７】
図８（ａ）のように中央のレンズ１５２ｂにマーカ光Ｍ１が入光した場合、このマーカ光Ｍ１は、当該レンズ１５２ｂにおいてレンズ厚さ方向に収束しかつレンズ幅方向に拡散して略面状のマーカ光Ｍ４として物品表面に向かう。また、図８（ｂ）のように３つのレンズ全てにマーカ光Ｍ１が入光した場合、このマーカ光Ｍ１は、３つのレンズ１５２ａ，１５２ｂ，１５２ｃにより３つのマーカ光Ｍ５，Ｍ６，Ｍ７に分けられる。これらマーカ光Ｍ５，Ｍ６，Ｍ７は、各レンズ１５２ａ，１５２ｂ，１５２ｃにおいて変換された光であり（具体的には各レンズ１５２ａ，１５２ｂ，１５２ｃにおいてレンズ厚さ方向に収束しかつレンズ幅方向に拡散するように変換された光であり）、それぞれが略面状の光として物品表面に向かうようになっている。そして、図９（ｂ）のように、物品表面に平行な３つのラインＬ５，Ｌ６，Ｌ７からなるパターンが表示されることとなる。
【００５８】
本実施形態でも、図６と同様のモード切替処理により、情報コードの読取モードを、一次元コードを読み取る第１モードと、二次元コードを読み取る第２モードとで切り替えるようになっている。なお、図６では、第１モードにおいてレーザダイオード５１をレンズ手段から遠ざけた位置（第１位置）に移動させ（Ｓ４）、第２モードにおいてレーザダイオード５１をレンズ手段に近づけた位置（第２位置）に移動させていたが（Ｓ６）、本実施形態の構成では、Ｓ４とＳ６の処理を逆にすれば良好に実現できる。即ち、Ｓ３にて第１モードに設定される場合には、図８（ａ）のようにレーザダイオード５１をレンズ手段に近づけた位置（第２位置）に移動させ、Ｓ５にて第２モードに設定される場合には、図８（ｂ）のようにレーザダイオード５１をレンズ手段に近づけた位置（第１位置）に移動させるようにすればよい。本実施形態でも、制御回路４０及び図６に示すプログラムが「モード切替手段」の一例に相当している。
【００５９】
このように、本実施形態では、読取モードが第１モードに切り替えられたときには、図９（ａ）のように物品表面に表示されるパターンが第１モードに対応した第１パターンとなるように駆動部５３を制御し、また、読取モードが第２モードに切り替えられたときには、図９（ｂ）のように物品表面に表示されるパターンが第２モードに対応した第２パターンとなるように駆動部５３を制御している。より具体的には、第１モードにおいて、バーコード（一次元コード）を配置すべき向き及び位置に対応する単一のラインによって第１パターンを構成するように駆動部５３を制御し、第２モードにおいて、二次元コードを配置すべき領域に対応する３つのラインによって第２パターンを構成するように駆動部５３を制御している。
【００６０】
本実施形態の受光センサ２８も、第１実施形態と同様の構成をなすものであり、複数の受光素子が配列されてなるエリアセンサによって構成されている。また、制御回路４０は、第１モードにおいて、受光センサ２８（エリアセンサ）の一部領域の受光結果に基づいて情報コードの読み取りを行う構成となっている。より詳しくは、第１モードにおいては物品表面における読取可能エリア（即ち、受光センサ２８によって読み取ることのできるエリア）の一定位置にラインＬ４が表示されるようになっているため、第１モードにおいて図９（ａ）のようにラインＬ４を跨ぐようにバーコードＢが配置されれば、ラインＬ４に対応する横方向の１又は複数の受光素子列の受光結果に基づいてバーコードＢをデコードできるようになる。
【００６１】
例えば、図１０では受光センサ２８におけるラインＬ４部分の画像を受光する位置を符号Ｌ４'にて示しているが、図９（ａ）のようにラインＬ４を跨ぐようにバーコードＢが配置された場合、符号 Ｌ４'で示すライン位置付近の横方向の受光素子列（例えば符号Ｌ４'位置付近に配される複数（数列又は数十列程度）の受光素子列）によってバーコードＢをデコードするための十分な画像が得られることとなる。従って、受光センサ２８の一部領域（符号Ｌ４'で示すライン付近の受光素子列）のみの受光結果に基づいてバーコードＢのデコードを良好に行うことができる。なお、本実施形態ではマーカ光Ｍ４によって物品表面に表示されるラインＬ４が読取エリアＡ（受光センサ２８によって画像が取得されるエリア）の横方向の長さと同程度、読取エリアＡの横方向の長さよりもわずかに短くなる程度で幅方向に拡散されるようにレンズ１５２ｂが構成されている。
【００６２】
また、第２モードにおいては、図９（ｂ）のようにラインＬ５、Ｌ７間に収まるようにＱＲコードＱが配置されれば、受光センサ２８全体の受光結果（受光センサ２８によって得られる画像全体）に基づいてＱＲコードＱをデコードできる。本実施形態では、図１０のように、第２モードにおけるラインＬ５、Ｌ７部分の画像が受光される位置が受光センサ２８の上端部及び下端部（即ち、図１０の符号Ｌ５'、Ｌ７'の位置）となっているため、ラインＬ５、Ｌ７間に収まるようにＱＲコードＱが配置されていれば、受光センサ２８の受光結果に基づいてＱＲコードＱ全体の画像を生成でき、この画像に基づいてＱＲコードＱのデコードを良好に行うことができる。なお、本実施形態ではマーカ光Ｍ５，Ｍ７によって物品表面に表示されるラインＬ５，Ｌ７が読取エリアＡ（受光センサ２８によって画像が取得されるエリア）の横方向の長さと同程度、読取エリアＡの横方向の長さよりもわずかに短くなる程度で幅方向に拡散されるようにレンズ１５２ａ，１５２ｃが構成されている。
【００６３】
本実施形態の光学的情報読取装置は、第１実施形態と同様の効果を奏し、さらに、第１モードにおいて一次元コードを配置すべき向き及び位置を単一のラインによって良好に示すことができ、第２モードにおいては二次元コードを配置すべき領域を複数のラインによって良好に示すことができる。
【００６４】
［第３実施形態]
次に第３実施形態について説明する。
図１１（ａ）は、第３実施形態の光学的情報読取装置に用いるマーカ光照射部を概略的に説明する説明図であり、図１１（ｂ）は、図１１（ａ）の状態からレーザダイオードが移動した状態を示す説明図である。図１２（ａ）は、第３実施形態の光学的情報読取装置に用いるレンズ手段の側面図であり、図１２（ｂ）は、図１２（ａ）のレンズ手段の正面図である。なお、図１２（ａ）では、第１モードでのマーカ光の位置を二点鎖線にて概略的に示しており、図１２（ｂ）では、第１モードでのマーカ光の位置を点にて概略的に示している。図１３（ａ）は、第３実施形態の光学的情報読取装置において、第１モードのときに物品表面に表示されるパターンを例示する説明図であり、図１３（ｂ）は、第２モードのときに物品表面に表示されるパターンを例示する説明図である。図１４は、受光センサによる受光位置等を説明する説明図である。
【００６５】
なお、本実施形態のマーカ光照射部２５０は、レンズ手段２５２の構成のみが第１実施形態のレンズ手段５２と異なっており、それ以外の構成は第１実施形態と同様である。また、本実施形態の光学的情報読取装置の電気的構成は図１に示す第１実施形態と同様であり、レーザダイオード５１を駆動する駆動部の構成も第１実施形態の駆動部５３（図２）と同様である。よって同様の部分については第１実施形態と同一の符号を付し、詳細な説明は省略する。
【００６６】
本実施形態のレンズ手段２５２は、レーザダイオード５１にて照射されたマーカ光Ｍ１を集光し、物品表面において読取位置の目印となるパターンを表示させるように機能するものであり、図１１、図１２に示すように、レーザ光を収束する４つのレンズ２５２ａ、２５２ｂ、２５２ｃ，２５２ｄを備えている。各レンズ２５２ａ、２５２ｂ、２５２ｃ，２５２ｄは、レーザダイオード５１から出射されたマーカ光Ｍ１（レーザ光）を４つのマーカ光Ｍ８，Ｍ９，Ｍ１０，Ｍ１１に分けるように配置されており、各マーカ光Ｍ８，Ｍ９，Ｍ１０，Ｍ１１の経路上に焦点が構成されるようになっている。４つのレンズ２５２ａ、２５２ｂ、２５２ｃ，２５２ｄにて収束された４つのマーカ光Ｍ８，Ｍ９，Ｍ１０，Ｍ１１は、物品表面に点状の局所的マークＰ８，Ｐ９，Ｐ１０，Ｐ１１を表示するようになっている。
【００６７】
また、本実施形態の駆動部５３（変更装置）も、第１実施形態と同様に、レーザダイオード５１を変位させることでレーザダイオード５１とレンズ手段２５２との距離を変化させ、レンズ手段２５２に入射するマーカ光Ｍ１の入射状態を変更している。そして、このように駆動部５３（変更装置）によりマーカ光Ｍ１の入射状態を変更することで、レンズ手段２５２を介して物品表面に表されるパターンを、図１３（ａ）のような第１のパターン（マークＰ８，Ｐ９，Ｐ１０，Ｐ１１が互いに接近するパターン）と、図１３（ｂ）のような第２のパターン（マークＰ８，Ｐ９，Ｐ１０，Ｐ１１が互いに離れるパターン）とで切り替えている。
【００６８】
具体的には、読取モードが第１モードに切り替えられたときには、図１３（ａ）に示すように、物品表面に表示されるパターンを、第１モードに対応した第１パターン（より詳しくは、一次元コードを配置すべき向き及び位置に対応する複数の局所的マークからなるパターン）とするように制御回路４０によって駆動部５３を制御しており、また、読取モードが第２モードに切り替えられたときには、図１３（ｂ）のように、物品表面に表示されるパターンを、第１パターンとは異なる第２モードに対応した第２パターン（より詳しくは、第１モードにて構成される複数の局所的マークの表示領域を、二次元コードを配置すべき領域に対応するサイズに拡大したパターン）とするように駆動部５３を制御している。
【００６９】
本実施形態の受光センサ２８も、第１実施形態と同様の構成をなすものであり、複数の受光素子が配列されてなるエリアセンサによって構成されている。また、制御回路４０は、第１モードにおいて、受光センサ２８（エリアセンサ）の一部領域の受光結果に基づいて情報コードの読み取りを行う構成となっている。より詳しくは、第１モードにおいて物品表面における読取可能エリアＡ（即ち、受光センサ２８によって読み取ることのできるエリア）の一定位置にマークＰ８，Ｐ９，Ｐ１０，Ｐ１１が表示されるようになっているため、第１モードにおいて図１３（ａ）のようにマークＰ１０，Ｐ１１間にバーコードＢが配置されれば、マークＰ１０，Ｐ１１に対応する横方向の１又は複数の受光素子列の受光結果に基づいてバーコードＢをデコードできるようになる。
【００７０】
例えば、図１４では受光センサ２８におけるマークＰ１０，Ｐ１１部分の画像を受光する位置を符号Ｐ１０'Ｐ１１'にて示しているが、図１３（ａ）のようにマークＰ１０，Ｐ１１間にバーコードＢが配置された場合、符号 Ｐ１０'Ｐ１１'間の１又は複数の受光素子列によってバーコードＢをデコードするための十分な画像が得られることとなる。なお、本実施形態では、符号Ｐ１０'，Ｐ１１の位置を含んだ横方向の数列又は数十列からなる受光素子列（図１４では、当該受光素子列を領域Ｃとして概略的に例示）の受光結果に基づいて情報コードの読み取りを行うようにしている。
【００７１】
また、第２モードにおいては、図１３（ｂ）のように広げられたマークＰ８，Ｐ９，Ｐ１０，Ｐ１１間に収まるようにＱＲコードＱが配置されれば、受光センサ２８全体の受光結果（受光センサ２８によって得られる画像全体）に基づいてＱＲコードＱをデコードできる。本実施形態では、図１４のように、第２モードにおけるマークＰ８，Ｐ９，Ｐ１０，Ｐ１１部分の画像が受光される位置が受光センサ２８の上下端部及び左右端部（即ち、図１４の符号マークＰ１２'，Ｐ１３'，Ｐ１４'，Ｐ１５'の位置）となっているため、マークＰ８，Ｐ９，Ｐ１０，Ｐ１１間に収まるようにＱＲコードＱが配置されていれば、受光センサ２８の受光結果に基づいてＱＲコードＱ全体の画像を生成でき、この画像に基づいてＱＲコードＱのデコードを良好に行うことができる。
【００７２】
なお、本実施形態でも、図６と同様のモード切替処理により、情報コードの読取モードを、一次元コードを読み取る第１モードと、二次元コードを読み取る第２モードとで切り替えるようになっている。本実施形態でも、制御回路４０及び図６に示すプログラムが「モード切替手段」の一例に相当している。
【００７３】
本実施形態の光学的情報読取装置は、第１実施形態と同様の効果を奏する。さらに、第１モードにおいて一次元コードを配置すべき向き及び位置を複数の局所的マークからなる第１パターンによって良好に示すことができ、第２モードにおいては二次元コードを配置すべき領域を複数の局所的マークの表示領域を第１パターンよりも拡大した第２パターンによって良好に示すことができる。
【００７４】
［他の実施形態]
本発明は上記記述及び図面によって説明した実施形態に限定されるものではなく、例えば次のような実施形態も本発明の技術的範囲に含まれる。
【００７５】
上記実施形態では、マーカ光照射手段とレンズ手段との間に光学部品を介在させず、マーカ光照射手段を変位させてマーカ光照射手段と、レンズ手段との距離を変化させる例を示したが、レンズ手段を変位させて距離を変化させてもよい。また、マーカ光照射手段からレンズ手段へ向かうレーザ光の経路において、マーカ光照射手段とレンズ手段との間にレンズ、ミラー、プリズム等の光学部品を配置し、当該光学部品を変位させることで、レンズ手段に入射するマーカ光の入射状態を変更するようにしてもよい。
【００７６】
上記実施形態では、第１モードにおいて、受光センサ（エリアセンサ）の一部領域の受光結果に基づいて情報コードの読み取りを行うようにしていたがこのようにしなくてもよい。例えば、第１モードであっても第２モードと同様にエリアセンサの全領域の受光結果に基づいて情報コードの読み取りを行うようにしてもよい。
【００７７】
上記実施形態では、マーカ光照射手段を電磁力に基づいて駆動する電磁アクチュエータと、電磁アクチュエータの駆動を制御する駆動制御手段とを例示したが、マーカ光照射手段を駆動する構成はこれに限られない。例えば、ピエゾアクチュエータなどを用いてマーカ光照射手段を駆動するようにしてもよい。また、電磁アクチュエータを用いずに、マーカ光照射手段とレンズ手段との距離を手動で切り替える構成（例えば、手動でマーカ光照射手段を移動させる構成等）としてもよい。
【図面の簡単な説明】
【００７８】
【図１】図１は、本発明の第１実施形態に係る光学的情報読取装置の電気的構成を概略的に例示するブロック図である。
【図２】図２は、マーカ光照射部を概略的に説明する説明図である。
【図３】図３（ａ）は、レンズ手段の側面図であり、図３（ｂ）は、３（ａ）のＡ−Ａ位置にて切断した構成を用いてレンズを概略的に説明する説明図である。
【図４】図４（ａ）は、第１モードのときのレーザダイオード等の状態を説明する説明図であり、図４（ｂ）は、第２モードのときのレーザダイオード等の状態を説明する説明図である。
【図５】図５（ａ）は、第１モードのときに物品表面に表示されるパターンを例示する説明図であり、図５（ｂ）は、第２モードのときに物品表面に表示されるパターンを例示する説明図である。
【図６】図６はモード切替処理を例示するフローチャートである。
【図７】図７は、受光センサにおける受光素子の配置を概略的に説明する説明図である。
【図８】図８（ａ）は、第２実施形態の光学的情報読取装置に用いるマーカ光照射部を概略的に説明する説明図であり、図８（ｂ）は、図８（ａ）の状態からレーザダイオードが移動した状態を示す説明図である。
【図９】図９（ａ）は、第２実施形態の光学的情報読取装置において、第１モードのときに物品表面に表示されるパターンを例示する説明図であり、図９（ｂ）は、第２モードのときに物品表面に表示されるパターンを例示する説明図である。
【図１０】図１０は、第２実施形態の受光センサによる受光位置等を説明する説明図である。
【図１１】図１１（ａ）は、第３実施形態の光学的情報読取装置に用いるマーカ光照射部を概略的に説明する説明図であり、図１１（ｂ）は、図１１（ａ）の状態からレーザダイオードが移動した状態を示す説明図である。
【図１２】図１２（ａ）は、第３実施形態の光学的情報読取装置に用いるレンズ手段の側面図であり、図１２（ｂ）は、図１２（ａ）のレンズ手段の正面図である。
【図１３】図１３（ａ）は、第３実施形態の光学的情報読取装置において、第１モードのときに物品表面に表示されるパターンを例示する説明図であり、図１３（ｂ）は、第２モードのときに物品表面に表示されるパターンを例示する説明図である。
【図１４】図１４は、第３実施形態の受光センサによる受光位置等を説明する説明図である。
【符号の説明】
【００７９】
１０…光学的情報読取装置
２８…受光センサ（受光手段）
５１…レーザダイオード（マーカ光照射手段）
５２，１５２，２５２…レンズ手段
５３…駆動部（変更装置）
５５…金属部材（変更装置、電磁アクチュエータ）
５６ａ，５６ｂ…電磁石（変更装置、電磁アクチュエータ）
５８ａ，５８ｂ…通電回路（変更装置）
４０…制御回路（読取手段、モード切替手段、制御手段、駆動制御手段）
Ｃ…情報コード
【図１】
0005115132.tif 000002
【図２】
0005115132.tif 000003
【図３】
0005115132.tif 000004
【図４】
0005115132.tif 000005
【図５】
0005115132.tif 000006
【図６】
0005115132.tif 000007
【図７】
0005115132.tif 000008
【図８】
0005115132.tif 000009
【図９】
0005115132.tif 000010
【図１０】
0005115132.tif 000011
【図１１】
0005115132.tif 000012
【図１２】
0005115132.tif 000013
【図１３】
0005115132.tif 000014
【図１４】
0005115132.tif 000015